(57)【要約】【課題】搭載作業の作業効率を向上させるとともに、搭載に係る汎用性を有する蓄電パックを構築するための蓄電モジュールユニットを提供すること。【解決手段】複数の蓄電素子５１から成る蓄電モジュール５０を備えた蓄電モジュールユニット１０であって、蓄電モジュール５０に接続される配線部材（２、３、６）と、配線部材（２、３、６）を、他の蓄電モジュールユニットの配線部材、または外部電気部材に接続する配線接続部（２Ａ、３Ａ、６Ａ）と、蓄電モジュール５０が載置されるユニットベースプレート２０とを備える。ユニットベースプレート２０は、配線部材（２、３、６）を、配線部材の配策方向を変更可能に配策させる複数の配策溝（２１Ａ、２１Ｂ）を有する。【選択図】図１
2018181689.tif 000002
【特許請求の範囲】
【請求項１】
複数の蓄電素子から成る蓄電モジュールを備えた蓄電モジュールユニットであって、
前記蓄電モジュールに接続される配線部材と、
前記配線部材を、他の蓄電モジュールユニットの前記配線部材、または外部電気部材に接続する配線接続部と、
前記蓄電モジュールが載置されるベースプレートであって、前記配線部材を、前記配線部材の配策方向を変更可能に配策させる複数の配策溝を有するユニットベースプレートと、を備えた蓄電モジュールユニット。
【請求項２】
請求項１に記載の蓄電モジュールユニットにおいて、
前記配線部材は、
前記蓄電モジュールの状態に係る信号が伝達される信号線と、
隣接する蓄電モジュール間を接続するモジュール間バスバーと、
当該蓄電モジュールユニットから電力を取り出すための出力バスバーと、を含み、
前記配線接続部は、
前記信号線を、前記他の蓄電モジュールユニット、または前記外部電気部材に接続する第１配線接続部と、
前記モジュール間バスバーおよび前記出力バスバーを、前記他の蓄電モジュールユニット、または前記外部電気部材に接続する第２配線接続部と、を含む、蓄電モジュールユニット。
【請求項３】
請求項２に記載の蓄電モジュールユニットにおいて、
前記第１配線接続部は、前記信号線が接続されるコネクタによって構成され、
前記第２配線接続部は、前記モジュール間バスバーおよび前記出力バスバーの一端に形成されたボルト締結用穴によって構成される、蓄電モジュールユニット。
【請求項４】
請求項１から請求項３のいずれか一項に記載の蓄電モジュールユニットを備えた蓄電パックであって、
前記蓄電モジュールユニットを複数個、接続して構成された、蓄電パック。
【請求項５】
請求項４に記載の蓄電パックにおいて、
前記蓄電モジュールユニットのいずれかに接続され、前記蓄電モジュールを保護する保護部材が搭載される、前記外部電気部材としてのジャンクションボックスを備え、
前記ジャンクションボックスは、前記保護部材が載置される部材ベースプレートを含み、
前記部材ベースプレートは、
前記蓄電モジュールユニットの前記配線接続部に接続する部材側接続部と
前記部材側接続部を介して前記配線部材に接続される部材側配線部材と、
前記部材側配線部材の配策方向を変更可能に配策させる複数の配策溝と、を含む、蓄電パック。
【請求項６】
請求項４または請求項５に記載の蓄電パックにおいて、
異なる蓄電モジュールユニットの前記配線接続部間を接続する接続ケーブルを備える、蓄電パック。
【発明の詳細な説明】
【技術分野】
【０００１】
本明細書に開示される技術は、蓄電モジュールユニット、および当該蓄電モジュールユニットを備えた蓄電パックに関し、詳しくは、複数の蓄電素子から成る蓄電モジュールを備えた、蓄電モジュールユニットおよび蓄電パックに関する。
【背景技術】
【０００２】
従来、複数の蓄電素子から成る蓄電モジュールを備えた蓄電パックとして、例えば、特許文献１に記載のものが知られている。特許文献１には、一個のベース部材（ベースプレート）上に、蓄電モジュール、蓄電モジュールの保護部材（リレーユニット、電流検知部材、ヒューズ等）、電圧信号線、および出力バスバーが配設されている蓄電パックが開示されている。そこでは、電圧信号線を、蓄電モジュールとベース部材との間の空間に配索することによって、蓄電パックを小型化する技術が開示されている。
【先行技術文献】
【特許文献】
【０００３】
【特許文献１】特開２０１６−１１９２４０号公報
【発明の概要】
【発明が解決しようとする課題】
【０００４】
しかしながら、上記の技術によると、蓄電パックは、蓄電モジュールおよび保護部材等の各部材を一個のベースプレート上に一体化されて搭載される構成である。そのため、蓄電モジュールの数が多くなると蓄電パックが大型化するとともに重量が増加する。それによって、蓄電パックの輸送効率、および、蓄電パックの搭載作業の作業効率が低下することとなる。また、蓄電パックが一体化された構成であるため、蓄電パックの搭載スペースとして所定のスペースが必要とされ、蓄電パックの搭載に係る融通性がなかった。そのため、搭載作業の作業効率を向上させるとともに、搭載に係る汎用性を有する蓄電モジュールユニットが所望されていた。
【０００５】
本明細書に開示される技術は、上記のような事情に基づいて完成されたものであって、搭載作業の作業効率を向上させるとともに、搭載に係る汎用性を有する蓄電パックを構築するための蓄電モジュールユニットを提供する。
【課題を解決するための手段】
【０００６】
本明細書によって開示される蓄電モジュールユニットは、複数の蓄電素子から成る蓄電モジュールを備えた蓄電モジュールユニットであって、前記蓄電モジュールに接続される配線部材と、前記配線部材を、他の蓄電モジュールユニットの前記配線部材、または外部電気部材に接続する配線接続部と、前記蓄電モジュールが載置されるベースプレートであって、前記配線部材を、前記配線部材の配策方向を変更可能に配策させる複数の配策溝を有するユニットベースプレートと、を備える。
本構成によれば、単に、配線接続部を介して、所定数の蓄電モジュールユニットを接続することによって、所定容量の蓄電パックを構築できる。その際、蓄電モジュールユニット単位で蓄電パックの輸送を行える。また、ベースプレート内の配線部材の配策は、複数の配策溝によって自在に行える。また、離れた位置にある蓄電モジュールユニットを、各配線接続部の間を接続するケーブルを介して、接続することができる。そのため、本構成の蓄電モジュールユニットによれば、搭載作業の効率を向上させるとともに、搭載に係る汎用性を有する蓄電パックを構成できる。
【０００７】
上記蓄電モジュールユニットにおいて、前記配線部材は、前記蓄電モジュールの状態に係る信号が伝達される信号線と、隣接する蓄電モジュール間を接続するモジュール間バスバーと、当該蓄電モジュールユニットから電力を取り出すための出力バスバーと、を含み、前記配線接続部は、前記信号線を、前記他の蓄電モジュールユニット、または前記外部電気部材に接続する第１配線接続部と、前記モジュール間バスバーおよび前記出力バスバーを、前記他の蓄電モジュールユニット、または前記外部電気部材に接続する第２配線接続部と、を含むようにしてもよい。
本構成によれば、信号線、モジュール間バスバー、および出力バスバーが個別の蓄電モジュールユニット内に設けられるため、複数の蓄電モジュールユニットによって蓄電パックを構成する際に、単に、各蓄電モジュールユニット間の第１配線接続部および第２配線接続部を接続するだけで事足りる。すなわち、蓄電パックの組み立ての際に、信号線等の配線部材の配策の必要がなく、蓄電パックの組み立て工数を低減することができる。
【０００８】
また、上記蓄電モジュールユニットにおいて、前記第１配線接続部は、前記信号線が接続されるコネクタによって構成され、前記第２配線接続部は、前記モジュール間バスバーおよび前記出力バスバーの一端に形成されたボルト締結穴によって構成されるようにしてもよい。
本構成によれば、隣接する二個の蓄電モジュールユニット間、あるいは隣接する蓄電モジュールユニットと外部電気部材との間を、コネクタ接続やコネクタ接続といった方法で接続可能なため、簡易な構成で隣接する二個の蓄電モジュールユニット間を接続できるとともに、蓄電モジュールユニットを汎用的な電子部材と接続できる。
【０００９】
また、本明細書によって開示される蓄電パックは、上記いずれかに記載の蓄電モジュールユニットを備えた蓄電パックであって、前記蓄電モジュールユニットを複数個、接続して構成されている。
本構成によれば、蓄電パックを車両等に搭載する際、蓄電モジュールユニット単位での輸送および搭載が可能であるため、搭載作業の効率を向上させるとともに、搭載に係る汎用性を有する蓄電パックを構成できる。
【００１０】
上記蓄電パックにおいて、前記蓄電モジュールユニットのいずれかに接続され、前記蓄電モジュールを保護する保護部材が搭載される、前記外部電気部材としてのジャンクションボックスを備え、前記ジャンクションボックスは、前記保護部材が載置される部材ベースプレートを含み、前記部材ベースプレートは、前記蓄電モジュールユニットの前記配線接続部に接続する部材側接続部と、前記部材側接続部を介して前記配線部材に接続される部材側配線部材と、前記部材側配線部材の配策方向を変更可能に配策させる複数の配策溝と、を含むようにしてもよい。
本構成によれば、部材側配線部材の配策が自在であるため、蓄電モジュールユニットに対して部材ベースプレートを接続する接続位置が固定されない。そのため、部材ベースプレートを、蓄電モジュールユニットの配線部材の配策に応じた、ユニットベースプレートの所定位置に接続することができる。
【００１１】
また、上記蓄電パックにおいて、異なる蓄電モジュールユニットの前記配線接続部間を接続する接続ケーブルを備えるようにしてもよい。
本構成によれば、接続ケーブルによって蓄電モジュールユニットを分散させることができ、それによって、蓄電パックの分散設置が可能となる。
【発明の効果】
【００１２】
本発明の蓄電モジュールユニットによれば、搭載作業の作業効率を向上させるとともに、搭載に係る汎用性を有する蓄電パックを構築することができる。
【図面の簡単な説明】
【００１３】
【図１】一実施形態に係る蓄電モジュールユニットを示す斜視図
【図２】ユニットベースプレートを示す斜視図
【図３】ユニットベースプレート上の配線部材の配策例を示す平面図
【図４】一実施形態に係る蓄電パックを示す斜視図
【図５】蓄電パックのベースプレート構造を示す平面図
【図６】蓄電パックの一部の分解斜視図
【図７】部材ベースプレートを示す斜視図
【図８】蓄電パックの別の実施形態を示す平面図
【図９】蓄電パックの別の実施形態を示す部分拡大斜視図
【発明を実施するための形態】
【００１４】
＜実施形態＞
本発明の一実施形態を図１から図７を参照しつつ説明する。本実施形態に係る蓄電パック１００は、図示しない電気自動車、ハイブリッド車、自動車等の車両に搭載される。なお、蓄電パック１００の適用は、車両に搭載される場合に限られない。以下の説明では、図１の矢印Ｘで示される方向を右方とし、矢印Ｙで示される方向を前方とし、矢印Ｚで示される方向を上方として説明する。
【００１５】
１．蓄電モジュールユニットの構成
蓄電モジュールユニット１０は、図１から図３に示されるように、大きくは、蓄電モジュール５０、絶縁プロテクタ４０Ａ、配線部材（２、３、４、５、６）、配線接続部（２Ａ、３Ａ、４Ａ、６Ａ、６Ｂ）、およびユニットベースプレート２０を含む。なお、蓄電モジュールユニット１０は、本実施形態では、２個の蓄電モジュール５０を含む例が示されるが、蓄電モジュールユニット１０が含む蓄電モジュール５０の個数はこれに限られない。
【００１６】
各蓄電モジュール５０は、直列接続された複数の蓄電素子５１から成る。蓄電素子５１は、本実施形態では、例えば、リチウムイオン電池である。なお、蓄電素子５１はリチウムイオン電池に限られない。
【００１７】
絶縁プロテクタ４０Ａは、例えば合成樹脂によって形成されている。絶縁プロテクタ４０Ａは、図６に示されるように、蓄電モジュール５０をボルト等によって固定するためのネジ孔４１、同絶縁プロテクタ４０Ａをユニットベースプレート２０に固定するための貫通孔４２、後述するバスバーを貫通させるための孔（筒孔４３、角柱状孔４４）、およびコネクタ保持部４５を含む。絶縁プロテクタ４０Ａには、図１に示されるように、２個の蓄電モジュール５０が載置される。
【００１８】
ユニットベースプレート２０は、図３に示されるように、平面視において矩形状の形状を有し、ユニットベースプレート２０には、少なくとも１個（本実施形態では２個）の蓄電モジュール５０が載置される。また、図２に示されるように、ユニットベースプレート２０は、配策方向を変更可能に、配線部材（２、３、４、５、６）を配策させる複数のユニット配策溝（２１Ａ、２１Ｂ）を有する。また、ユニットベースプレート２０の四隅には、蓄電モジュールユニット１０を載置場所に固定するための貫通孔２２が形成されている。
【００１９】
ユニット配策溝（２１Ａ、２１Ｂ）は、図２および図３に示されるように、碁盤目状に配置されている。すなわち、ユニット配策溝（２１Ａ、２１Ｂ）は、図３の上下方向（矢印Ｙ方向）に走る複数のユニット縦配策溝（配策溝）２１Ａと、図３の左右（矢印Ｘ方向）方向に走る複数のユニット横配策溝（配策溝）２１Ｂとによって構成される。
【００２０】
配線部材（２、３、４、５、６）は、図３に示されるように、隣接する蓄電モジュール５０間を接続するモジュール間バスバー（４、５）と、蓄電モジュール５０から電力を取り出すための出力バスバー（２、３）と、蓄電モジュール５０の状態に係る信号が伝達される信号線６とを含む。なお、本実施形態では、信号線６は、例えば、蓄電素子５１の電圧を検知するための電圧検知線である。出力バスバー（２、３）の一方は蓄電モジュール５０の正極に接続され、他方は負極に接続される。
【００２１】
配線接続部（２Ａ、３Ａ、４Ａ、６Ａ、６Ｂ）は、配線部材（２、３、４、６）を、他の蓄電モジュールユニット１０の配線部材、または外部電気部材に接続する。
【００２２】
具体的には、配線接続部（２Ａ、３Ａ、４Ａ、６Ａ、６Ｂ）は、信号線６を、他の蓄電モジュールユニット１０、または外部電気部材に接続する第１配線接続部と、モジュール間バスバー４および出力バスバー（２、３）を、他の蓄電モジュールユニット１０、または外部電気部材に接続する第２配線接続部と、を含む。
【００２３】
本実施形態では、図３に示されるように、第１配線接続部は、信号線６が接続されるコネクタ（６Ａ、６Ｂ）によって構成され、第２配線接続部は、モジュール間バスバー４および出力バスバー（２、３）の一端に形成されたボルト締結穴（２Ａ、３Ａ、４Ａ）によって構成される。ここで、例えば、コネクタ６Ａは雌型コネクタであり、コネクタ６Ｂは雄型コネクタである。
【００２４】
２．蓄電パックの構成
次に図４から図７を参照して、本実施形態に係る蓄電パック１００を説明する。蓄電パック１００は、図４に示されるように、大きくは、複数（本実施形態では２個）の蓄電モジュールユニット（１０Ａ、１０Ｂ）、およびジャンクションボックス６０を備える。なお、蓄電モジュールユニット１０Ａと蓄電モジュールユニット１０Ｂとは、図３に示されるように、ユニットベースプレート２０上における配線部材（２、３、４、５、６）の配策態様のみが異なる。そのため、以下の説明において、蓄電モジュールユニット１０Ａと蓄電モジュールユニット１０Ｂとを区別する必要が無い場合、蓄電モジュールユニット１０と記す。
【００２５】
ジャンクションボックス６０は、いずれかの蓄電モジュールユニット１０に接続され、蓄電モジュール５０を保護するリレー等の保護部材が搭載される。なお、ジャンクションボックス６０は外部電気部材の一例であり、外部電気部材はジャンクションボックス６０に限られない。
【００２６】
ジャンクションボックス６０は、図４に示されるように、絶縁プロテクタ４０Ｂおよび部材ベースプレート３０を含む。絶縁プロテクタ４０Ｂには、図６に示されるように、保護部材としての、リレー４６、電流検出器４７、およびヒューズ４８等が取り付けられている。また、絶縁プロテクタ４０Ｂは、ＥＣＵ等に接続されるコネクタ７０が接続されるコネクタソケット４９が取り付けられている。
【００２７】
部材ベースプレート３０は、図５に示されるように、平面視において矩形状の形状を有し、ユニットベースプレート２０に電気的に接続されている。部材ベースプレート３０には、上記したように絶縁プロテクタ４０Ｂを介して蓄電モジュール５０の保護部材等が搭載される。また、部材ベースプレート３０には、蓄電モジュール５０からの電力を外部に出力するための電極端子３５、および取り付け孔３７が設けられている。
【００２８】
また、部材ベースプレート３０は、ユニットベースプレート２０と同様に、配策方向を変更可能に、部材側配線部材（３２、３３、３６）を配策させる複数の配策溝（３１Ａ、３１Ｂ）を有する。部材側配線部材（３２、３３、３６）は、出力バスバー（２、３）に接続されたバスバー（３２、３３）と、信号線６に接続された部材側信号線３６とを含む（図３参照）。
【００２９】
部材側配策溝（３１Ａ、３１Ｂ）は、図５および図７に示されるように、ユニットベースプレート２０の配策溝（２１Ａ、２１Ｂ）と同様に、碁盤目状に配置されている。すなわち、部材側配策溝（３１Ａ、３１Ｂ）は、図５の上下方向（矢印Ｙ方向）に走る複数の縦配策溝３１Ａと、図５の左右方向（矢印Ｘ方向）に走る複数の横配策溝３１Ｂと、によって構成されている。
【００３０】
また、部材ベースプレート３０は、図３に示されるように、蓄電モジュールユニット１０の配線接続部（２Ａ、３Ａ、６Ａ）に接続する部材側接続部（３２Ａ、３３Ａ、３６Ｂ）を含む。本実施形態では、部材側接続部（３２Ａ、３３Ａ）は、バスバー（３２、３３）の一端に形成されたボルト締結穴であり、部材側接続部３６Ｂは、部材側信号線３６の一端に接続されたコネクタ３６Ｂである。コネクタ３６Ｂは、本実施形態では雄型コネクタであり、ユニットベースプレート２０の雌型コネクタ６Ａに接続される。なお、部材ベースプレート３０上での部材側配線部材（３２、３３、３６）の詳細な配策は省略されている。
【００３１】
３．蓄電パックの製造工程
続いて、本実施形態に係る蓄電パック１００の製造工程の概要を説明する。なお、蓄電パック１００の製造工程は、以下の記述に限定されるものではない。
【００３２】
絶縁性の合成樹脂により、図２および図７に示すようなユニットベースプレート２０および部材ベースプレート３０を、所定の形状に成形する。次いで、図３に示されるように、出力バスバー（２、３）を、ユニット配策溝（２１Ａ、２１Ｂ）を介して各ユニットベースプレート２０に取り付ける。また、モジュール間バスバー（４、５）を、ユニット配策溝（２１Ａ、２１Ｂ）を介して各ユニットベースプレート２０に取り付ける。さらに、電圧検知線６を、ユニット配策溝（２１Ａ、２１Ｂ）を介して各ユニットベースプレート２０に取り付ける。同様に、部材ベースプレート３０においても、部材側配線部材（３２、３３、３６）を、部材側配策溝（３１Ａ、３１Ｂ）を利用して部材ベースプレート３０に取り付ける。
【００３３】
次いで、ユニットベースプレート２０上に絶縁プロテクタ４０Ａを取り付け、絶縁プロテクタ４０Ａ上に蓄電モジュール５０を取り付けることにより、図１に示されるような蓄電モジュールユニット１０が完成する。また、保護部材が取り付けられた絶縁プロテクタ４０Ｂを部材ベースプレート３０上に取り付けることによって、ジャンクションボックス６０が完成する。
【００３４】
次いで、二個の蓄電モジュールユニット（１０Ａ、１０Ｂ）およびジャンクションボックス６０を、図５に示されるように、ボルト７１およびコネクタ（６Ａ、６Ｂ、３６Ｂ）によって電気的に接続することによって、図４に示されるような蓄電パック１００が完成する。
【００３５】
４．実施形態の作用、効果
本実施形態では、蓄電モジュールユニット１０には、蓄電モジュール５０に接続される配線部材（２、３、４、５、６）と、配線部材（２、３、４、６）を、他の蓄電モジュールユニットの配線部材、または外部電気部材６０に接続する配線接続部（２Ａ、３Ａ、４Ａ、６Ａ、６Ｂ）とが設けられている。そのため、単に、配線接続部であるボルト締結穴（２Ａ、３Ａ、４Ａ）およびコネクタ（６Ａ、６Ｂ）を介して、２個（所定数）の蓄電モジュールユニット（１０Ａ、１０Ｂ）を接続することによって、所定容量の蓄電パック１００を構築できる。その際、蓄電パック１００の輸送が蓄電モジュールユニット１０の単位で行えるため、輸送効率が向上する。
また、ユニットベースプレート２０内の配線部材（２、３、４、５、６）の配策は、複数の配策溝（２１Ａ、２１Ｂ）によって自在に行える。また、離れた位置にある蓄電モジュールユニット１０を、配線接続部（２Ａ、３Ａ、４Ａ、６Ａ、６Ｂ）の間を接続するケーブル等を介して、接続することもできる。そのため、本実施形態の蓄電モジュールユニット１０によれば、搭載作業の効率を向上させるとともに、搭載に係る汎用性を有する蓄電パック１００を構築できる。
【００３６】
具体的には、信号線６、モジュール間バスバー（４、５）、および出力バスバー（２、３）が個別の蓄電モジュールユニット１０内に設けられているため、複数の蓄電モジュールユニット１０によって蓄電パック１００を構成する際に、単に、各蓄電モジュールユニット１０間のボルト締結穴（２Ａ、３Ａ、４Ａ）（第１配線接続部）およびコネクタ（６Ａ、６Ｂ）（第２配線接続部）を接続するだけで事足りる。すなわち、蓄電パック１００の組み立ての際に、信号線等の配線部材（２、３、４、５、６）の配策作業の必要がなく、蓄電パック１００の組み立て工数を低減することができる。
【００３７】
また、隣接する二個の蓄電モジュールユニット（１０Ａ、１０Ｂ）間、あるいは蓄電モジュールユニット１０Ｂとジャンクションボックス（外部電気部材）６０との間を、ボルト接続やコネクタ接続といった方法で接続可能である。そのため、簡易な構成で隣接する２個の蓄電モジュールユニット（１０Ａ、１０Ｂ）間を接続できるとともに、蓄電モジュールユニット１０を汎用的な電子部材と接続できる。
【００３８】
また、部材ベースプレート３０は、部材側配線部材（３２、３３、３６）の配策方向を変更可能に配策させる複数の配策溝（３１Ａ、３１Ｂ）を含むため、複数の配策溝（３１Ａ、３１Ｂ）によって部材側配線部材（３２、３３、３６）の配策が自在である。そのため、蓄電モジュールユニット１０に対して部材ベースプレート３０を接続する接続位置がユニットベースプレート２０の所定位置に固定されない。すなわち、部材ベースプレート３０の接続位置が図５に示される位置に限定されない。例えば、部材ベースプレート３０を、図５において蓄電モジュールユニット１０の下方（矢印Ｙの下向き方向）に接続させることもできる。そのため、部材ベースプレート３０、言い換えれば、ジャンクションボックス６０を、蓄電モジュールユニット１０の配線部材の配策に応じた、ユニットベースプレート２０（蓄電モジュールユニット１０）の位置に接続することができる。
【００３９】
＜他の実施形態＞
本発明は上記記述及び図面によって説明した実施形態に限定されるものではなく、例えば次のような実施形態も本発明の技術的範囲に含まれる。
【００４０】
（１）上記実施形態では、第１配線接続部は、信号線６が接続されるコネクタ（６Ａ、６Ｂ）によって構成され、第２配線接続部は、モジュール間バスバー４および出力バスバー（２、３）の一端に形成されたボルト締結穴（２Ａ、３Ａ、４Ａ）によって構成される例を示したが、第１配線接続部および第２配線接続部の構成はこれに限られない。第１配線接続部は、例えば、ユニットベースプレート２０に固定された待ち受けコネクタであってもよい。また、第２配線接続部は、例えば、バスバーの露出部を覆う絶縁カバーを有するようにしてもよい。
【００４１】
（２）上記実施形態では、２個の蓄電モジュールユニット（１０Ａ、１０Ｂ）の接続を、ボルト締結用穴（２Ａ、３Ａ、４Ａ）およびコネクタ（６Ａ、６Ｂ）を直接、接続することによって行う例を示したが、これに限られない。例えば、図８に示されるように、ボルト締結穴（２Ａ、３Ａ、４Ａ）間を、両端にボルト締結用穴９Ａを有する被覆電力ケーブル（接続ケーブル）９を介して接続し、コネクタ（６Ａ、６Ｂ）間を、両端にコネクタ（８Ａ、８Ｂ）を有する信号ケーブル（接続ケーブル）８を介して接続するようにしてもよい。この場合、接続ケーブル８によって蓄電モジュールユニット１０を分散させることができ、それによって、蓄電パック１００の分散設置が可能となる。
【００４２】
（３）上記実施形態では、信号線６を、他の蓄電モジュールユニット、または外部電気部材に接続するコネクタ（６Ａ、６Ｂ）（第１配線接続部）を、ユニットベースプレート２０の周辺に配置する例を示したが、これに限られない。例えば、図９に示されるように、蓄電モジュール５０の上部に固定された待ち受け雌コネクタ６Ｃと、蓄電モジュール５０の上部に固定された、待ち受け雌コネクタ６Ｃに接続する雄コネクタ６Ｄによって構成するようにしてもよい。この場合であっても、待ち受け雌コネクタ６Ｃと雄コネクタ６Ｄとを直接、接続するようにしてもよいし、接続ケーブルを介して待ち受け雌コネクタ６Ｃと雄コネクタ６Ｄとを接続するようにしてもよい。
【００４３】
（４）上記実施形態においては、配線部材として、出力バスバー（２、３）、モジュール間バスバー（４、５）および電圧検知線６を例示したが、配線部材はこれらに限られない。例えば、配線部材として、さらに、温度検知線を含んでもよい。
【００４４】
（５）上記実施形態においては、蓄電パック１００は、ジャンクションボックス（外部電気部材）６０を備える例を示したがこれに限られず、ジャンクションボックス６０は省略されてもよい。
【００４５】
（６）上記実施形態においては、ユニットベースプレート２０の複数のユニット配策溝（２１Ａ、２１Ｂ）、および部材ベースプレート３０の複数の補助配策溝（３１Ａ、３１Ｂ）は、直線状であって碁盤目状に配置されている例を示したか、各配策溝の配置形態は碁盤目状に限られない。例えば、配策溝は、曲線部分、あるいは所定角度に傾斜した傾斜部分を含んでもよい。
【符号の説明】
【００４６】
２、３…出力バスバー（配線部材）
４、５…モジュール間バスバー（配線部材）
２Ａ、３Ａ、４Ａ…ボルト締結穴（第２配線接続部）
６…電圧検知線（信号線：配線部材）
６Ａ…雌型コネクタ（第１配線接続部）
６Ｂ…雄型コネクタ（第１配線接続部）
８…信号ケーブル（接続ケーブル）
９…被覆電力ケーブル（接続ケーブル）
１０、１０Ａ、１０Ｂ…蓄電モジュールユニット
２０…ユニットベースプレート
２１Ａ…ユニット縦配策溝（配策溝）
２１Ｂ…ユニット横配策溝（配策溝）
３０…部材ベースプレート
３１Ａ…縦配策溝（配策溝）
３１Ｂ…横配策溝（配策溝）
５０…蓄電モジュール
１００…蓄電パック
【図１】
2018181689.tif 000003
【図２】
2018181689.tif 000004
【図３】
2018181689.tif 000005
【図４】
2018181689.tif 000006
【図５】
2018181689.tif 000007
【図６】
2018181689.tif 000008
【図７】
2018181689.tif 000009
【図８】
2018181689.tif 000010
【図９】
2018181689.tif 000011